(57)【要約】【課題】  画像にフリッカーを発生させずに画像出力を切替える。【解決手段】  本発明は、画像情報を切替つつ表示部に出力する選択回路と、該選択回路の制御を行うコントローラと、外部供給される画像情報を第１の画像情報として該選択回路及び該コントローラに出力し該画像情報の出力状態を判断する転送回路と、該コントローラの制御の下該第１の画像情報を該第２の画像情報として記憶する記憶装置とを備え、該コントローラは第１の出力状態及び前記画像データに従う制御情報に基づき該第２の画像情報を選択するよう該選択回路を制御し、該第２の画像情報を該表示部に出力する間に該第１の出力状態から第２の出力状態に遷移したと判断する場合画像情報の切替に必要なフレーム数の候補を複数の算出方法により算出し、該候補で決定されるフレーム数に基づき該第２の画像情報の非表示期間を調整する、画像表示装置である。【選択図】  図１
2015191097.tif 000002
【特許請求の範囲】
【請求項１】
所定のリフレッシュレートを有する表示制御信号に従う画像データを表示部に出力する画像表示装置であって、
前記表示部に対して出力されるように、第１の画像データと第２の画像データとを選択的に切り替える選択回路と、
前記選択回路の切替制御を行うコントローラと、
外部から供給される画像データを前記第１の画像データとして前記選択回路に出力するとともに、前記画像データに基づいて、該画像データの出力状態を判断する転送回路と、
前記転送回路から出力される前記第１の画像データを前記第２の画像データとして記憶する記憶装置と、を備え、
前記コントローラは、
前記転送回路により判断される第１の出力状態及び前記画像データに従う制御情報に基づいて、前記記憶装置に記憶された前記第２の画像データが選択されるように、前記選択回路を制御し、
前記コントローラは、
前記第２の画像データが前記表示部に対して出力されている間に前記転送回路により前記第１の出力状態から第２の出力状態に遷移したと判断される場合に、前記第２の画像データから前記第１の画像データに切り替えるために必要な切替フレーム数の複数の候補を前記所定のリフレッシュレートに基づく基準値に基づく複数の算出方法によりそれぞれ算出し、該算出した複数の候補から決定される一の切替フレーム数に基づいて、前記第２の画像データにおける非表示期間の長さを調整する、
画像表示装置。
【請求項２】
前記コントローラは、前記第１の画像データに対する第１の表示制御信号と前記第２の画像データに対する第２の表示制御信号との間の位相差に基づいて、前記切替フレーム数の複数の候補をそれぞれ算出する、請求項１記載の画像表示装置。
【請求項３】
前記コントローラは、前記基準値に基づいて、前記位相差が小さくなるように、前記第１の表示制御信号及び／又は前記第２の表示制御信号の位相を調整することにより、前記切替フレーム数の複数の候補をそれぞれ算出する、請求項２記載の画像表示装置。
【請求項４】
前記コントローラは、
前記第２の画像データの前記表示制御信号に基づいて得られる前記第２の画像データにおける非表示期間の長さに基づいて、前記切替フレーム数の複数の候補をそれぞれ算出する、請求項２記載の画像表示装置。
【請求項５】
前記コントローラは、
前記所定のリフレッシュレートの最小値に基づく基準値に基づいて、前記切替フレーム数の第１の候補を算出するとともに、前記所定のリフレッシュレートの最大値に基づく基準値に基づいて、前記切替フレーム数の第２の候補を算出し、
前記第１の候補と前記第２の候補とのうち、小さな切替フレーム数を有する方を前記一の切替フレーム数として決定する、
請求項３又は４記載の画像表示装置。
【請求項６】
前記コントローラは、前記第１の出力状態から前記第２の出力状態に遷移したと判断した時点以降の、前記第２の画像データにおける最初の表示期間の終了時点から前記第１の画像データにおける最初の非表示期間の終了時点までを前記位相差として検出する、請求項２記載の画像表示装置。
【請求項７】
前記コントローラは、前記決定された一の切替フレーム数に基づいて前記第２の画像データにおける非表示期間の長さを算出し、前記算出された非表示期間の長さに基づいて前記第２の画像データに対する前記第２の表示制御信号を更新する、請求項２記載の画像表示装置。
【請求項８】
前記コントローラは、前記決定された一の切替フレーム数の分だけフレームが切り替わった後に前記第２の画像データから前記第１の画像データに切り替わるように、前記選択回路の切替制御を行う、請求項１記載の画像表示装置。
【請求項９】
表示部に対して、所定のリフレッシュレートを有する表示制御信号に従う画像データを選択回路によって選択的に出力制御する画像表示制御方法であって、
外部から供給される画像データを第１の画像データとして前記選択回路に出力するとともに、前記画像データに基づいて該画像データの出力状態を判断することと、
前記第１の画像データを第２の画像データとして記憶装置に記憶することと、
前記判断に基づく第１の出力状態及び前記画像データに従う制御情報に基づいて、前記記憶装置に記憶された前記第２の画像データが選択されるように、前記選択回路を制御することと、
前記第２の画像データが前記表示部に対して出力されている間に前記第１の出力状態から第２の出力状態に遷移したと判断される場合に、前記第２の画像データから前記第１の画像データに切り替えるために必要な切替フレーム数の複数の候補を前記所定のリフレッシュレートに基づく基準値に基づく複数の算出方法によりそれぞれ算出し、該算出した複数の候補から決定される一の切替フレーム数に基づいて、前記第２の画像データにおける非表示期間の長さを調整することと、
を含む、画像表示制御方法。
【発明の詳細な説明】
【技術分野】
【０００１】
本発明は、画像表示装置及び画像表示制御方法に関する。
【背景技術】
【０００２】
今日の情報処理機器には、コンピュータディスプレイや、テレビディスプレイ、モバイルディスプレイなどの画像表示装置が欠かせない。画像表示装置の表示部として、例えば、液晶パネル、有機エレクトロルミネッセンスパネルなどが存在する。画像表示装置は、典型的には、表示すべき画像データに基づいて、表示部（例えばディスプレイパネル）を駆動するための制御信号を生成し、これを画像データとともに表示部に送出することによって、所望の画像が表示されるように制御する。典型的には、表示部には、１秒当たり多数のフレーム（例えば６０フレーム）が表示される。斯かる画像表示システムにとって、消費電力の削減や、画像のフリッカー（ちらつき）の抑制は、重要な要素である。
【０００３】
表示部に表示される画像は、静止画像と動画像とに大別できる。静止画像は、一連のフレームに対して同一の画像データが用いられることによって得られる。これに対して、動画像は、一連のフレームに対して異なる画像データが用いられることによって得られる。一般に、画像表示システムは、画像データを更新する度に演算を行い、該演算でデータを送信するほど多くの電力を消費する。
【０００４】
斯かる画像表示システムの消費電力を低減する技術として、ＰＳＲ（Panel Self Refresh）方式という技術が知られている。ＰＳＲ方式は、画像表示装置が、静止画像に関する画像データを保存しておき、該静止画像を表示する際に、送信側の装置が画像データを送信することなく、該保存した画像データを出力することによって、消費電力を低減するというものである。ＰＳＲ方式を用いた画像表示装置は、静止画像の表示と動画像の表示とで、位相の同期を取っておらず、また、一秒当たりに表示するフレームの数を変えているため、画像に発生するフリッカー（ちらつき）が増大する場合がある。このため、斯かるフリッカーの低減を目的とした技術が提案されている。
【０００５】
例えば、下記特許文献１は、静止画像及び動画像を表示する表示パネルと、前記表示パネルを駆動するための信号を制御する信号制御部と、入力映像データを前記信号制御部に伝送するグラフィック処理装置と、を備える表示装置を開示する。前記表示装置の前記信号制御部は、前記入力映像データを保存するフレームメモリを備え、前記表示パネルは、前記動画像を表示するときに第１の周波数にて駆動され、前記静止画像を表示するときに前記第１の周波数よりも低い第２の周波数にて駆動される。
【０００６】
また、下記特許文献２は、液晶ディスプレイと、前記液晶ディスプレイにその裏面から光を照射するバックライトとから構成される透過型液晶表示装置における画像表示方法を開示する。かかる画像表示方法では、画像の動きを検出した検出結果に基づいて、前記画像を構成する画像信号と前記画像信号とは異なる非画像信号とが切り替えられて前記液晶ディスプレイを構成する複数本のデータ電極に印加され、前記画像信号又は前記非画像信号が表示される。
【先行技術文献】
【特許文献】
【０００７】
【特許文献１】特開２０１３−０３７３６６号公報
【特許文献２】特開２００２−３２３８７６号公報
【発明の概要】
【発明が解決しようとする課題】
【０００８】
上述した従来の画像表示装置においては、動画像の表示と静止画像の表示との切り替えの過程において、画像を表示しない期間が存在する。斯かる期間は、その長さが長い場合、画像にフリッカーをもたらし、視る者に不快感を与える。従来の画像表示装置は、斯かる期間がもたらす画像のフリッカーに関して何ら考慮をしておらず、画像のフリッカーの低減に関して依然として課題を有していた。
【０００９】
そこで、本発明は、画像にフリッカーを発生させることなく、静止画及び動画の画像出力を切り替えて、画像表示を行うことができる画像表示装置及び画像表示制御方法を提供することを目的とする。
【課題を解決するための手段】
【００１０】
上記課題を解決するための本発明は、以下の技術的特徴乃至は発明特定事項を含んで構成される。
【００１１】
即ち、ある観点に従う本発明は、所定のリフレッシュレートを有する表示制御信号に従う画像データを表示部に出力する画像表示装置であって、前記表示部に対して出力されるように、第１の画像データと第２の画像データとを選択的に切り替える選択回路と、前記選択回路の切替制御を行うコントローラと、外部から供給される画像データを前記第１の画像データとして前記選択回路に出力するとともに、前記画像データに基づいて、該画像データの出力状態を判断する転送回路と、前記転送回路から出力される前記第１の画像データを前記第２の画像データとして記憶する記憶装置と、を備え、前記コントローラは、前記転送回路により判断される第１の出力状態及び前記画像データに従う制御情報に基づいて、前記記憶装置に記憶された前記第２の画像データが選択されるように、前記選択回路を制御し、前記コントローラは、前記第２の画像データが前記表示部に対して出力されている間に前記転送回路により前記第１の出力状態から第２の出力状態に遷移したと判断される場合に、前記第２の画像データから前記第１の画像データに切り替えるために必要な切替フレーム数の複数の候補を前記所定のリフレッシュレートに基づく基準値に基づく複数の算出方法によりそれぞれ算出し、該算出した複数の候補から決定される一の切替フレーム数に基づいて、前記第２の画像データにおける非表示期間の長さを調整する、画像表示装置である。
【００１２】
ここで、前記コントローラは、前記第１の画像データに対する第１の表示制御信号と前記第２の画像データに対する第２の表示制御信号との間の位相差に基づいて、前記切替フレーム数の複数の候補をそれぞれ算出しても良い。
【００１３】
さらに、前記コントローラは、前記基準値に基づいて、前記位相差が小さくなるように、前記第１の表示制御信号及び／又は前記第２の表示制御信号の位相を調整することにより、前記切替フレーム数の複数の候補をそれぞれ算出しても良い。
【００１４】
また、前記コントローラは、前記第２の画像データの前記表示制御信号に基づいて得られる前記第２の画像データにおける非表示期間の長さに基づいて、前記切替フレーム数の複数の候補をそれぞれ算出しても良い。
【００１５】
さらに、前記コントローラは、前記所定のリフレッシュレートの最小値に基づく基準値に基づいて、前記切替フレーム数の第１の候補を算出するとともに、前記所定のリフレッシュレートの最大値に基づく基準値に基づいて、前記切替フレーム数の第２の候補を算出し、前記第１の候補と前記第２の候補とのうち、小さな切替フレーム数を有する方を前記一の切替フレーム数として決定しても良い。
【００１６】
また、前記コントローラは、前記第１の出力状態から前記第２の出力状態に遷移したと判断した時点以降の、前記第２の画像データにおける最初の表示期間の終了時点から前記第１の画像データにおける最初の非表示期間の終了時点までを前記位相差として検出しても良い。
【００１７】
また、前記コントローラは、前記決定された一の切替フレーム数に基づいて前記第２の画像データにおける非表示期間の長さを算出し、前記算出された非表示期間の長さに基づいて前記第２の画像データに対する前記第２の表示制御信号を更新しても良い。
【００１８】
また、前記コントローラは、前記決定された一の切替フレーム数の分だけフレームが切り替わった後に前記第２の画像データから前記第１の画像データに切り替わるように、前記選択回路の切替制御を行っても良い。
【００１９】
さらに、別の観点に従う本発明は、表示部に対して、所定のリフレッシュレートを有する表示制御信号に従う画像データを選択回路によって選択的に出力制御する画像表示制御方法であって、外部から供給される画像データを第１の画像データとして前記選択回路に出力するとともに、前記画像データに基づいて該画像データの出力状態を判断することと、前記第１の画像データを第２の画像データとして記憶装置に記憶することと、前記判断に基づく第１の出力状態及び前記画像データに従う制御情報に基づいて、前記記憶装置に記憶された前記第２の画像データが選択されるように、前記選択回路を制御することと、前記第２の画像データが前記表示部に対して出力されている間に前記第１の出力状態から第２の出力状態に遷移したと判断される場合に、前記第２の画像データから前記第１の画像データに切り替えるために必要な切替フレーム数の複数の候補を前記所定のリフレッシュレートに基づく基準値に基づく複数の算出方法によりそれぞれ算出し、該算出した複数の候補から決定される一の切替フレーム数に基づいて、前記第２の画像データにおける非表示期間の長さを調整することと、を含む、画像表示制御方法である。
【発明の効果】
【００２０】
本発明によれば、画像表示装置は、画像にフリッカーを発生させることなく、静止画及び動画の画像出力を切り替えて、画像表示を行うことができるようになる。
【００２１】
本発明の他の技術的特徴、目的、及び作用効果乃至は利点は、添付した図面を参照して説明される以下の実施形態により明らかにされる。
【図面の簡単な説明】
【００２２】
【図１】本発明の一実施形態に係る画像表示システムの概略構成の一例を示す図である。
【図２】本発明の一実施形態に係る画像表示装置における各種の信号のタイミングチャートである。
【図３】本発明の一実施形態に係る画像表示装置における各種の信号のタイミングチャートである。
【図４】本発明の一実施形態に係る画像表示装置において画像出力が自走画像出力から転送画像出力に切り替わる際の各種の信号のタイミングチャートである。
【図５】本発明の一実施形態に係る画像表示装置における各種の信号のタイミングチャートである。
【図６】本発明の一実施形態に係る画像表示装置における切替フレーム数の算出過程を説明するための各種の信号のタイミングチャートである。
【図７】本発明の一実施形態に係る画像表示装置における画像出力の切り替えの動作を概略的に説明するためのフローチャートである。
【図８】本発明の一実施形態に係る画像表示装置における画像出力の切り替えの動作を概略的に説明するためのフローチャートである。
【図９】本発明の一実施形態に係る画像表示装置における画像出力の切り替えの動作を概略的に説明するためのフローチャートである。
【発明を実施するための形態】
【００２３】
次に、本発明の実施の形態について、図面を参照しつつ説明する。
【００２４】
図１は、本発明の一実施形態に係る画像表示装置の概略構成の一例を示す図である。同図に示すように、本実施形態に係る画像表示システム１は、例えば、送信部１０と、画像表示装置２０とを含んで構成される。
【００２５】
送信部１０は、例えば、ｅＤＰ（embedded Display Port）のソース機器（即ち、パーソナルコンピュータや、セットトップボックスなど）であり、表示すべき画像データと、画像出力モードとを示す画像データ信号ＤＡＴＡを生成し、該信号を画像表示装置２０に送信する。画像表示装置２０は、例えばｅＤＰのシンク機器（即ち、コンピュータディスプレイやプロジェクタ）である。
【００２６】
画像表示装置２０は、例えば、転送回路２１０と、コントローラ２２０と、記憶装置２３０と、演算回路２４０と、選択回路２５０及び２６０と、表示部２７０とを含んで構成される。画像表示装置２０は、送信部１０から送信される画像データ信号ＤＡＴＡに基づいて、該信号が示す動画像又は静止画像を表示部２７０に表示する。なお、本開示においては、画像出力は、画像の表示期間及び非表示期間の情報を示す信号と、画像の情報を示すデータとで構成される信号を示す。また、転送回路２１０が出力する画像出力を転送画像出力と定義し、記憶装置２３０がコントローラ２２０を介して出力する画像出力を自走画像出力と定義する。
【００２７】
転送回路２１０は、送信部１０から送られる画像データ信号ＤＡＴＡに基づいて、所定の情報を生成、出力する。具体的には、転送回路２１０は、画像データ信号ＤＡＴＡを受け、該信号に基づいて、転送画像出力の表示期間ｔｅｒｍ＿ａｃｔ及び転送画像出力の非表示期間ｂｌｋ１の情報を示す転送画像制御信号ＤＥ＿ＴＲＡＮと、画像のデータを示す転送画像出力信号ＩＭＧ＿ＴＲＡＮと、画像の解像度情報を示す解像度信号ＲＥＳとを生成する。転送回路２１０は、転送画像制御信号ＤＥ＿ＴＲＡＮを選択回路２５０及びコントローラ２２０に出力するとともに、転送画像出力信号ＩＭＧ＿ＴＲＡＮを選択回路２６０及びコントローラ２２０に出力する。また、転送回路２１０は、自走表示信号ＳＥＬＦ＿ＤＩＳＰをコントローラ２２０に出力する。自走表示信号ＳＥＬＦ＿ＤＩＳＰは画像出力の切り替えの制御指示を示す信号である。さらに、転送回路２１０は、解像度信号ＲＥＳをコントローラ２２０に出力する。
【００２８】
また、転送回路２１０は、画像データ信号ＤＡＴＡが示す画像出力モードを判断する。転送回路２１０は、画像データ信号ＤＡＴＡが示す画像出力モードが自走画像出力モードであると判断する場合、その状態を“１”とする自走表示信号ＳＥＬＦ＿ＤＩＳＰを生成し、該信号をコントローラ２２０に出力する。一方、転送回路２１０は、画像データ信号ＤＡＴＡが示す画像出力モードが転送画像出力モードであると判断する場合、その状態を“０”として自走表示信号ＳＥＬＦ＿ＤＩＳＰを生成し、該信号をコントローラ２２０に出力する。
【００２９】
コントローラ２２０は、選択回路２５０及び２６０を制御することによって、表示部２７０に出力される画像出力の切り替えの制御を行う。即ち、コントローラ２２０は、転送回路２１０から出力される自走表示信号ＳＥＬＦ＿ＤＩＳＰの状態を判断し、該判断の結果に基づいて、表示部２７０に出力される画像出力の切り替えの制御を行う。自走表示信号ＳＥＬＦ＿ＤＩＳＰの状態は、例えば、“１”（即ち、「自走画像出力状態」）である状態と、“０”（即ち、「転送画像出力状態」）である状態と、“０”から“１”又は、“１”から“０”に遷移した状態とがある。コントローラ２２０は、自走表示信号ＳＥＬＦ＿ＤＩＳＰの状態の遷移を検知するために、該状態を保持する内部レジスタ（図示せず）を有する。上述した各場合におけるコントローラ２２０の処理の詳細については後述する。
【００３０】
より具体的には、コントローラ２２０は、画像出力が自走画像出力状態であると判断する場合、コントローラ２２０は画像出力を自走画像出力として表示部２７０に出力する。即ち、コントローラ２２０は、選択信号ＳＥＬの状態を“１”として、該信号を選択回路２５０及び２６０に出力するとともに、自走表示信号ＳＥＬＦ＿ＤＩＳＰの状態の遷移を監視するために、自走表示信号ＳＥＬＦ＿ＤＩＳＰの状態を内部レジスタ（図示せず）に保存する。また、コントローラ２２０は、記憶装置２３０から画像の情報を取得するために、その内容を記憶装置２３０に対するリード命令として制御信号ＭＣＮＴを生成し、該信号を記憶装置２３０に出力する。次に、コントローラ２２０は、記憶装置２３０から出力される画像のデータを示すリードデータ信号ＲＤと、転送回路２１０から出力される解像度信号ＲＥＳとに基づいて、自走画像出力の画像データを示す自走画像出力信号ＩＭＧ＿ＭＥＭを生成し、選択回路２６０に出力する。さらに、コントローラ２２０は、転送回路２１０から出力される転送画像制御信号ＤＥ＿ＴＲＡＮと、演算回路２４０から出力される制御信号ＲＣＮＴとに基づいて、自走画像出力の表示期間ｔｅｒｍ＿ａｃｔ及び自走画像出力の非表示期間ｂｌｋ２の情報を示す自走画像制御信号ＤＥ＿ＭＥＭを生成し、該信号を選択回路２５０に出力する。なお、コントローラ２２０は、自走画像出力の表示期間ｔｅｒｍ＿ａｃｔに関して、転送画像出力の表示期間ｔｅｒｍ＿ａｃｔと同じになるように、その長さを設定する。
【００３１】
また、コントローラ２２０は、画像出力が転送画像出力状態であると判断する場合、コントローラ２２０は、内部レジスタに保持された状態と、自走表示信号ＳＥＬＦ＿ＤＩＳＰの状態とを比較し、該状態が同じであるか否かを判断する。コントローラ２２０は、該状態が同じであると判断する場合、画像出力を転送画像出力として、表示部２７０に出力する。即ち、コントローラ２２０は、選択信号ＳＥＬの論理を“０”として該信号を選択回路２５０及び２６０に出力するとともに、自走表示信号ＳＥＬＦ＿ＤＩＳＰの状態を内部レジスタに保存する。
【００３２】
また、コントローラ２２０は、画像出力が自走画像出力状態であり、かつ、内部レジスタに保持された状態と、自走表示信号ＳＥＬＦ＿ＤＩＳＰの状態が同じでないと判断する場合、コントローラ２２０は切替フレーム数Ｎの経過後に、画像出力を自走画像出力から転送画像出力に切り替える。具体的には、コントローラ２２０は、転送回路２１０から出力される転送画像制御信号ＤＥ＿ＴＲＡＮと、演算回路２４０から出力される制御信号ＲＣＮＴとに基づいて、画像出力の切り替えに必要な最小の切替フレーム数Ｎを計算するとともに、該計算した切替フレーム数Ｎに基づいて自走画像出力の非表示期間ｂｌｋ２の長さを調整し、自走画像制御信号ＤＥ＿ＭＥＭを更新し、該信号を選択回路２５０に出力する。そして、コントローラ２２０は、該計算した切替フレーム数Ｎの経過後に、選択信号ＳＥＬの論理を“０”として該信号を選択回路２５０及び２６０に出力するとともに、自走表示信号ＳＥＬＦ＿ＤＩＳＰの状態を内部レジスタ（図示せず）に保存する。なお、本例において、フレームは、画像出力の一周期、即ち、画像出力の表示期間の開始から、該画像出力に続く非表示期間の終了までの期間を単位とする値である。
【００３３】
また、コントローラ２２０は、画像出力が転送画像出力状態であり、かつ、内部レジスタに保持された状態と、自走表示信号ＳＥＬＦ＿ＤＩＳＰの状態が同じでないと判断する場合、コントローラ２２０は、画像のデータを記憶装置２３０に保持するために、その内容を記憶装置２３０に対するライト命令として制御信号ＭＣＮＴを生成する。そして、コントローラ２２０は、転送回路２１０から出力される転送画像出力信号ＩＭＧ＿ＴＲＡＮを画像のデータを示すライトデータ信号ＷＤとして、制御信号ＭＣＮＴ及びライトデータ信号ＷＤを記憶装置２３０に出力する。記憶装置２３０は、コントローラ２２０の制御の下、転送回路２１０から出力される画像の情報を保持する。該保持された画像の情報は、所定の条件に従い、コントローラ２２０により読み出され、選択回路２５０及び２６０に出力される。具体的には、記憶装置２３０は、コントローラ２２０から出力される制御信号ＭＣＮＴが示す内容が、ライト命令であるか又はリード命令であるかを判断する。記憶装置２３０は、制御信号ＭＣＮＴが示す内容がライト命令であると判断する場合、コントローラ２２０から出力されるライトデータ信号ＷＤが示す画像の情報を保持する。一方、記憶装置２３０は、制御信号ＭＣＴＮが示す内容がリード命令であると判断する場合、保持した画像の情報を示すリードデータ信号ＲＤを生成し、該信号をコントローラ２２０に出力する。なお、記憶装置２３０は、典型的には、揮発性メモリ（例えばＤＲＡＭ（Dynamic Random Access Memory））により構成されるが、これに限られるものではない。
【００３４】
演算回路２４０は、画像出力の単位時間あたりの画像の再表示回数（即ち、リフレッシュレート）の最小値及び最大値を内部レジスタ（図示せず）に保持し、該保持した値の逆数（即ちリフレッシュレートの周期）を演算し、制御信号ＲＣＮＴとして、該信号をコントローラ２２０に出力する。なお、リフレッシュレートの最小値及び最大値は予め定められても良いし、外部の別の装置によって与えられても良い。なお、最小リフレッシュレートの周期は“ＲＥＦ＿ｍｉｎ”と定義し、最大リフレッシュレートの周期は“ＲＥＦ＿ｍａｘ”と定義する。
【００３５】
選択回路２５０は、例えば、マルチプレクサである。選択回路２５０は、コントローラ２２０から出力される選択信号ＳＥＬに基づいて、転送回路２１０から出力される転送画像制御信号ＤＥ＿ＴＲＡＮと、コントローラ２２０から出力される自走画像制御信号ＤＥ＿ＭＥＭとのうちいずれか一方を選択し、画像制御信号ＤＥとして該信号を表示部２７０に出力する。具体的には、選択回路２５０は、選択信号ＳＥＬの状態が“０”であるか否かを判断し、選択信号ＳＥＬの状態が“０”であると判断する場合、転送画像制御信号ＤＥ＿ＴＲＡＮを選択し、画像制御信号ＤＥとして該信号を表示部２７０に出力する。一方、選択回路２５０は、選択信号ＳＥＬの状態が“１”であると判断する場合、自走画像制御信号ＤＥ＿ＭＥＭを選択し、画像制御信号ＤＥとして該信号を表示部２７０に出力する。
【００３６】
選択回路２６０もまた、例えば、マルチプレクサである。選択回路２６０は、コントローラ２２０から出力される選択信号ＳＥＬに基づいて、転送回路２１０から出力される転送画像出力信号ＩＭＧ＿ＴＲＡＮと、コントローラ２２０から出力される自走画像出力信号ＩＭＧ＿ＭＥＭとのうちいずれか一方を選択し、画像出力信号ＩＭＧとして該信号を表示部２７０に出力する。具体的には、選択回路２６０は、選択信号ＳＥＬの状態が“０”であるか否かを判断し、選択信号ＳＥＬの状態が“０”であると判断する場合、転送画像出力信号ＩＭＧ＿ＴＲＡＮを選択し、画像出力信号ＩＭＧとして該信号を表示部２７０に出力する。一方、選択回路２６０は、選択信号ＳＥＬの状態が“１”であると判断する場合、自走画像出力信号ＩＭＧ＿ＭＥＭを選択し、画像出力信号ＩＭＧとして該信号を表示部２７０に出力する。
【００３７】
表示部２７０は、例えば、液晶表示パネル及び有機エレクトロルミネッセンス表示パネルであるが、これらに限られない。表示部２７０は、選択回路２５０から画像制御信号ＤＥを選択回路２６０から画像出力信号ＩＭＧをそれぞれ受け、該２つの信号に基づいて、画像を表示する。なお、本例において、表示部２７０は画像表示装置２０内に設けられているが、これに限られるものではなく、表示部２７０は画像表示装置２０とは別体として設けられても良い。
【００３８】
なお、本実施形態に係る画像表示装置２０は、転送回路２１０が転送画像制御信号ＤＥ＿ＴＲＡＮをコントローラ２２０及び選択回路２５０に出力するように構成されるが、これに限られるものではなく、本実施形態に係る画像表示装置２０は、転送回路２１０が転送画像制御信号ＤＥ＿ＴＲＡＮをコントローラ２２０に出力する一方、コントローラ２２０が該転送画像制御信号ＤＥ＿ＴＲＡＮを選択回路２５０に出力するように構成されても良い。また、斯かる構成において、コントローラ２２０は、画像出力の切り替えにあたって、切替フレーム数Ｎに基づいて転送画像出力の非表示期間ｂｌｋ１を調整し、転送画像制御信号ＤＥ＿ＴＲＡＮを更新しても良い。
【００３９】
また、本実施形態に係る画像表示装置２０においては、転送回路２１０は、転送画像出力信号ＩＭＧ＿ＴＲＡＮをコントローラ２２０及び選択回路２６０に出力するが、これに限られるものではなく、転送回路２１０は、転送画像出力信号ＩＭＧ＿ＴＲＡＮを記憶装置２３０及び選択回路２６０に出力しても良い。
【００４０】
図２は、本発明の一実施形態に係る画像表示装置における各種の信号のタイミングチャートである。具体的には、図２は、本発明の一実施形態に係る画像表示装置２０において画像出力が転送画像出力である場合の各種の制御信号のタイミングチャートである。即ち、同図に示す転送画像制御信号ＤＥ＿ＴＲＡＮ、自走画像制御信号ＤＥ＿ＭＥＭ、自走表示信号ＳＥＬＦ＿ＤＩＳＰ及び選択信号ＳＥＬが、図１に示す対応する構成要素に入力された場合、画像表示装置２０は、画像出力として転送画像出力を選択し、該画像出力に基づく画像を表示し続ける。なお、図中、転送画像制御信号ＤＥ＿ＴＲＡＮの状態が“１”である期間は、転送画像出力の表示期間ｔｅｒｍ＿ａｃｔを、該信号の状態が“０”である期間は、転送画像出力の非表示期間ｂｌｋ１をそれぞれ示している。
【００４１】
同図を参照して、転送回路２１０は、送信部１０から出力される画像データ信号ＤＡＴＡが示す画像出力モードが転送画像出力モードであると判断する場合、自走表示信号ＳＥＬＦ＿ＤＩＳＰの状態を“０”に保持し、該信号をコントローラ２２０に出力し続ける。また、転送回路２１０は、転送画像出力が、転送画像出力の表示期間ｔｅｒｍ＿ａｃｔ及び転送画像出力の非表示期間ｂｌｋ１を周期的に繰り返すように、転送画像制御信号ＤＥ＿ＴＲＡＮの状態を遷移させるとともに、該信号を選択回路２５０及びコントローラ２２０に出力し続ける。即ち、転送回路２１０は、転送画像制御信号ＤＥ＿ＴＲＡＮの状態が“１”及び“０”を周期的に繰り返すように、該信号を選択回路２５０及びコントローラ２２０に出力し続ける。
【００４２】
コントローラ２２０は、転送回路２１０が出力する自走表示信号ＳＥＬＦ＿ＤＩＳＰの状態“０”に基づいて、選択信号ＳＥＬの状態を“０”に保持し、該信号を選択回路２５０及び２６０に出力し続ける。さらに、コントローラ２２０は、該自走表示信号ＳＥＬＦ＿ＤＩＳＰの状態“０”に基づいて、自走画像制御信号ＤＥ＿ＭＥＭの出力を停止し続け、該信号の状態を“０”に維持してもよい。
【００４３】
選択回路２５０は、選択信号ＳＥＬの状態“０”に基づいて、転送画像制御信号ＤＥ＿ＴＲＡＮを選択し、該信号を画像制御信号ＤＥとして表示部２７０に出力し続ける。従って、画像制御信号ＤＥの状態は、転送画像制御信号ＤＥ＿ＴＲＡＮの状態と同じとなる。
【００４４】
上述したように、本実施形態に係る画像表示装置２０は、画像出力が転送画像出力である間、転送画像制御信号ＤＥ＿ＴＲＡＮを画像制御信号ＤＥとして、該信号に基づく画像を表示し続ける。即ち、画像表示装置２０は、画像出力が転送画像出力の表示期間ｔｅｒｍ＿ａｃｔ及び転送画像出力の非表示期間ｂｌｋ１を周期的に繰り返すように、画像制御信号ＤＥの状態を遷移させるとともに、該信号に基づく画像を表示し続ける。
【００４５】
図３は、本発明の一実施形態に係る画像表示装置における各種の信号のタイミングチャートである。具体的には、図３は、本発明の一実施形態に係る画像表示装置２０において画像出力が自走画像出力である場合の各種の信号のタイミングチャートである。同図に示す各種の制御信号が、図１に示す対応する構成要素に入力された場合、画像表示装置２０は、画像出力として自走画像出力を選択し、該信号に基づく画像を表示し続ける。
【００４６】
同図を参照して、転送回路２１０は、送信部１０から出力される画像データ信号ＤＡＴＡが示す画像出力モードが自走画像出力モードであると判断する場合、自走表示信号ＳＥＬＦ＿ＤＩＳＰの状態を“１”に保持し、該信号をコントローラ２２０に出力し続ける。さらに、転送回路２１０は、転送画像制御信号ＤＥ＿ＴＲＡＮの出力を停止し続け、該信号の状態を“０”に維持する。
【００４７】
コントローラ２２０は、転送回路２１０が出力する自走表示信号ＳＥＬＦ＿ＤＩＳＰの状態“１”に基づいて、選択信号ＳＥＬの状態を“１”に保持し、該信号を選択回路２５０及び２６０に出力し続ける。また、コントローラ２２０は、自走画像出力が、自走画像出力の表示期間ｔｅｒｍ＿ａｃｔ及び自走画像出力の非表示期間ｂｌｋ２を周期的に繰り返すように、自走画像制御信号ＤＥ＿ＭＥＭの状態を遷移させるとともに、該信号を選択回路２５０に出力し続ける。即ち、コントローラ２２０は、自走画像制御信号ＤＥ＿ＭＥＭの状態が“１”及び“０”を周期的に繰り返すように、該信号を選択回路２５０に出力し続ける。なお、自走画像制御信号ＤＥ＿ＭＥＭの状態が“１”である期間は、自走画像出力の表示期間ｔｅｒｍ＿ａｃｔを、該信号の状態が“０”である期間は、自走画像出力の非表示期間ｂｌｋ２をそれぞれ示す。また、上述したように、コントローラ２２０は、転送画像出力の表示期間ｔｅｒｍ＿ａｃｔの長さと同じになるように、自走画像の表示期間ｔｅｒｍ＿ａｃｔの長さを設定する。
【００４８】
選択回路２５０は、選択信号ＳＥＬの状態“１”に基づいて、自走画像制御信号ＤＥ＿ＭＥＭを選択し、該信号を画像制御信号ＤＥとして表示部２７０に出力し続ける。従って、画像制御信号ＤＥの状態は、自走画像制御信号ＤＥ＿ＭＥＭの状態と同じとなる。
【００４９】
上述したように、本実施形態に係る画像表示装置２０は、画像出力が自走画像出力である間、自走画像制御信号ＤＥ＿ＭＥＭを画像制御信号ＤＥとして、該信号に基づく画像を表示し続ける。即ち、画像表示装置２０は、画像出力が自走画像出力の表示期間ｔｅｒｍ＿ａｃｔ及び自走画像出力の非表示期間ｂｌｋ２を周期的に繰り返すように、画像制御信号ＤＥの状態を遷移させるとともに、該信号に基づく画像を表示し続ける。
【００５０】
次に、画像表示装置２０において、画像出力が自走画像出力から転送画像出力に切り替わる際の各種の信号の状態を説明する。図４は、本発明の一実施形態に係る画像表示装置における各種の信号のタイミングチャートである。具体的には、図４は、本発明の一実施形態に係る画像表示装置２０において画像出力が自走画像出力から転送画像出力に切り替わる際の各種の信号のタイミングチャートである。さらに、同図は、説明の簡単のため、切替フレーム数Ｎが１になると仮定した場合のタイミングチャートである。同図に示す各種の制御信号が、図１に示す対応する構成要素に入力された場合、画像表示装置２０は、画像出力を自走画像出力から転送画像出力に切り替える。同図において、自走画像出力モードから転送画像出力モードに画像出力モードを切り替えるように送信部１０がその状態を制御した画像データ信号ＤＡＴＡに基づいて、転送回路２１０が自走表示命令ＳＥＬＦ＿ＤＩＳＰの状態を“１”から“０”に遷移させる時刻を時刻ｔ０と定義する。また、時刻ｔ０以降において、コントローラ２２０が、自走画像制御信号ＤＥ＿ＭＥＭの状態を最初に“１”から“０”に遷移させるタイミングを時刻ｔ１と定義する。また、コントローラ２２０が、選択信号ＳＥＬの状態を“１”から“０”に遷移させるタイミングを時刻ｔ２と定義する。
【００５１】
時刻ｔ０以前において、転送回路２１０は、転送画像制御信号ＤＥ＿ＴＲＡＮの出力を停止し、該信号の状態を“０”に維持している。時刻ｔ０で、転送回路２１０は、送信部１０から出力される画像データ信号ＤＡＴＡが示す画像出力モードに基づいて、自走表示信号ＳＥＬＦ＿ＤＩＳＰの状態を“１”から“０”に遷移させ、該信号をコントローラ２２０に出力するとともに、転送画像制御信号ＤＥ＿ＴＲＡＮの出力を開始し、該信号を選択回路２５０及びコントローラ２２０に出力する。つまり、転送回路２１０は、転送画像出力が転送画像出力の表示期間ｔｅｒｍ＿ａｃｔと転送画像出力の非表示期間ｂｌｋ１とを周期的に繰り返すように、転送画像制御信号ＤＥ＿ＴＲＡＮを選択回路２５０及びコントローラ２２０に出力する。
【００５２】
時刻ｔ０以前において、コントローラ２２０は、自走画像出力が、自走画像の表示期間ｔｅｒｍ＿ａｃｔと自走画像の非表示期間ｂｌｋ２とを周期的に繰り返すように、自走画像制御信号ＤＥ＿ＭＥＭを選択回路２５０に出力し続けている。
【００５３】
コントローラ２２０は、転送回路２１０から出力される自走表示信号ＳＥＬＦ＿ＤＩＳＰの状態の遷移を検知すると、切替フレーム数Ｎの値を決定する。コントローラ２２０は、該決定した切替フレーム数Ｎに基づいて、自走画像の非表示期間ｂｌｋ２の長さをｂｌｋ２´に変更し、該変更によって非表示期間ｂｌｋ０の長さも最適に調整する。非表示期間ｂｌｋ０は、時刻ｔ２直前における自走画像制御信号ＤＥ＿ＭＥＭの最後の立ち下がりから、時刻ｔ２以降における転送画像制御信号ＤＥ＿ＴＲＡＮの最初の立ち上がりまでの期間である。非表示期間ｂｌｋ０の長さの増大は、表示部２７０が表示する画像にフリッカーをもたらすが、コントローラ２２０は、非表示期間ｂｌｋ０の長さが最適となるように切替フレーム数Ｎの計算を行い、該計算に基づいて自走画像出力の非表示期間ｂｌｋ２の長さをｂｌｋ２´に変更し、非表示期間ｂｌｋ０の長さを最適に調整することによって、斯かるフリッカーの発生を防止する。
【００５４】
また、コントローラ２２０は、切替フレーム数Ｎの計算にあたって、転送画像出力の表示期間ｔｅｒｍ＿ａｃｔの長さと、転送画像出力の非表示期間ｂｌｋ１の長さと、期間ｔｅｒｍ（０）の長さとを取得し、演算回路２４０から出力される制御信号ＲＣＮＴに基づいて、最大リフレッシュレートの周期ＲＥＦ＿ｍａｘの値と、最小リフレッシュレートＲＥＦ＿ｍｉｎの値とを取得する。コントローラ２２０は、該５つの値に基づいて、切替フレーム数Ｎを計算するが、その計算方法については後述する。なお、期間ｔｅｒｍ（０）は、時刻ｔ１から、時刻ｔ１以降における転送画像制御信号ＤＥ＿ＴＲＡＮの最初の立ち上がりまでの期間であり、転送画像制御信号ＤＥ＿ＴＲＡＮと自走画像制御信号ＤＥ＿ＭＥＭとの間の時刻ｔ１での位相差を示す。
【００５５】
コントローラ２２０は、時刻ｔ１から切替フレーム数Ｎが経過後に、自走画像制御信号の出力を停止するとともに、選択信号ＳＥＬの状態を“１”から“０”に遷移させ（時刻ｔ２）、該信号を選択回路２５０及び２６０に出力する。
【００５６】
時刻ｔ２より前において、選択回路２５０は、選択信号ＳＥＬの状態“１”に基づいて、自走画像制御信号ＤＥ＿ＭＥＭを選択し、該信号を画像制御信号ＤＥとして表示部２７０に出力し続けている。従って、時刻ｔ２より前においては、画像制御信号ＤＥの状態は、自走画像制御信号ＤＥ＿ＭＥＭの状態と同じである。時刻ｔ２で、選択回路２５０は、選択信号ＳＥＬの状態の“１”から“０”への遷移に基づいて、画像出力を自走画像出力から、転送画像出力に切り替える。即ち、選択回路２５０は、転送画像制御信号ＤＥ＿ＴＲＡＮを選択し、画像制御信号ＤＥとして該信号を表示部２７０に出力し続ける。従って、時刻ｔ２より後においては、画像制御信号ＤＥの状態は、転送画像制御信号ＤＥ＿ＴＲＡＮの状態と同じである。
【００５７】
上述したように、本実施形態に係る画像表示装置２０は、画像出力の非表示期間ｂｌｋ０の長さが最適な長さになるように、切替フレーム数Ｎを決定し、該決定した切替フレーム数Ｎに基づいて、自走画像出力の非表示期間ｂｌｋ２の長さを調整する。従って、本実施形態に係る画像表示装置２０は、例えば、時刻ｔ２が、自走画像出力の非表示期間ｂｌｋ２の終了のタイミングと転送画像出力の非表示期間ｂｌｋ１の終了のタイミングとが一致する時刻となるように、切替フレーム数Ｎを決定し、該決定した切替フレーム数Ｎに基づいて、自走画像の非表示期間ｂｌｋ２の長さを調整する。
【００５８】
本実施形態に係る画像表示装置２０は、切替フレーム数Ｎの決定にあたって少なくとも二以上の算出方法を用いて切替フレーム数Ｎの候補をそれぞれ計算し、切替フレーム数Ｎの候補の値が最も小さいものを切替フレーム数Ｎとして決定する。切替フレーム数Ｎは、例えば、自走画像制御信号ＤＥ＿ＭＥＭの立ち上がりのタイミングの周期を転送画像制御信号ＤＥ＿ＴＲＡＮＳの立ち上がりのタイミングに対して遅らせることによって、該両方のタイミングを一致させる方法（以下、「第１の算出方法」という。）、及び自走画像制御信号ＤＥ＿ＭＥＭの立ち上がりタイミングの周期を転送画像制御信号ＤＥ＿ＴＲＡＮＳの立ち上がりのタイミングに対して早めることによって、該両方のタイミングを一致させる方法（以下、「第２の算出方法」という。）によって算出することができる。そして、画像表示装置２０は、該決定した切替フレーム数Ｎに基づいて、自走画像出力の非表示期間ｂｌｋ２の長さを調整し、非表示期間ｂｌｋ２の長さの調整から切替フレーム数Ｎが経過した後（即ち、切替フレーム数Ｎの回数分だけフレームが切り替わった後）に画像出力を切り替える。なお、本例では、２つの算出方法を用いることとしたが、これに限るものではなく、３つ以上の算出方法を用いるようにしても良い。
【００５９】
なお、自走画像出力の非表示期間ｂｌｋ２は、以下の式に示す関係を有する。
ＲＥＦ＿ｍａｘ＜ｂｌｋ２＜ＲＥＦ＿ｍｉｎ    …＜式１＞
即ち、自走画像出力の非表示期間ｂｌｋ２の長さは、最小リフレッシュレートの周期ＲＥＦ＿ｍｉｎと、最大リフレッシュレートＲＥＦ＿ｍａｘとによって定められる範囲となる。また、第１の算出方法によって計算される切替フレーム数ＮはＮ１と定義され、第２の算出方法によって計算される切替フレーム数ＮはＮ２と定義される。
【００６０】
次に、本実施形態に係る画像表示装置２０における画像出力の切り替えの制御の詳細に関して、図５及び図６を参照しつつ説明する。図５は、本発明の一実施形態に係る画像表示装置における各種の信号のタイミングチャートである。具体的には、図５は、本発明の一実施形態に係る画像表示装置２０において、第１の算出方法によって切替フレーム数Ｎ１を算出する過程を説明するための各種の信号のタイミングチャートである。さらに、同図は、説明の簡単のため、切替フレーム数Ｎ１が２になると仮定した場合のタイミングチャートである。なお、同図における時刻ｔ０乃至ｔ２についての定義は図４に示したものと同じである。また、同図における自走画像制御信号ＤＥ＿ＭＥＭ０は、コントローラ２２０が自走画像出力の非表示期間ｂｌｋ２の長さを調整しないと仮定した場合の自走画像制御信号ＤＥ＿ＭＥＭの仮想のタイミングチャートである。
【００６１】
時刻ｔ１から時刻ｔ２までの期間は、期間ｔｅｒｍ（Ｎ１）と定義する。期間ｔｅｒｍ（Ｎ１）は、自走画像出力の非表示期間ｂｌｋ２と、転送画像出力の非表示期間ｂｌｋ１とに基づいて、以下の２つの式に示す関係を有する。
ｔｅｒｍ（Ｎ１）＝Ｎ１×（ｔｅｒｍ＿ａｃｔ＋ｂｌｋ２）＋ｂｌｋ２    …＜式２＞
ｔｅｒｍ（Ｎ１）＝Ｎ１×（ｔｅｒｍ＿ａｃｔ＋ｂｌｋ１）＋ｔｅｒｍ（０）    …＜式３＞
【００６２】
式２及び式３に基づいて式４が導出される。また、式１に基づいて式５が導出される。
（Ｎ１＋１）×ｂｌｋ２＝ｔｅｒｍ（０）＋Ｎ１×ｂｌｋ１    …＜式４＞
（Ｎ１＋１）×ｂｌｋ２＜（Ｎ１＋１）×ＲＥＦ＿ｍｉｎ    …＜式５＞
式４及び式５に基づいて式６が導出される。
ｔｅｒｍ（０）＋Ｎ１×ｂｌｋ１＜（Ｎ１＋１）×ＲＥＦ＿ｍｉｎ    …＜式６＞
【００６３】
即ち、式６によれば、期間ｔｅｒｍ（０）と、転送画像出力の非表示期間ｂｌｋ１と、最小のリフレッシュレートの周期ＲＥＦ＿ｍｉｎとに基づいて、最小の切替フレーム数Ｎ１が算出されることが分かる。また、式５によれば、式６によって算出された切替フレーム数Ｎ１と、最小のリフレッシュレートの周期ＲＥＦ＿ｍｉｎとに基づいて、自走画像出力の非表示期間ｂｌｋ２´が算出されることが分かる。
【００６４】
図６は、本発明の一実施形態に係る画像表示装置における切替フレーム数の算出過程を説明するための各種の信号のタイミングチャートである。具体的には、図６は、本発明の一実施形態に係る画像表示装置２０において、第２の算出方法によって、切替フレーム数Ｎ２を算出する過程を説明するための各種の信号のタイミングチャートである。さらに、同図は、説明の簡単のため、切替フレーム数Ｎ２が１になると仮定した場合のタイミングチャートである。なお、同図における時刻ｔ０乃至ｔ２についての定義は図４に示したものと同じである。また、同図における自走画像制御信号ＤＥ＿ＭＥＭ０は、コントローラ２２０が自走画像出力の非表示期間ｂｌｋ２の長さを調整しないと仮定した場合の自走画像制御信号ＤＥ＿ＭＥＭの仮想のタイミングチャートである。
【００６５】
同図において、時刻ｔ１から時刻ｔ２までの期間は、期間ｔｅｒｍ（Ｎ２）と定義される。期間ｔｅｒｍ（Ｎ２）は、自走画像出力の非表示期間ｂｌｋ２と、転送画像出力の非表示期間ｂｌｋ１とに基づいて、以下の２つの式に示す関係を有する。
ｔｅｒｍ（Ｎ２）＝（Ｎ２＋１）×（ｔｅｒｍ＿ａｃｔ＋ｂｌｋ２）＋ｂｌｋ２    …＜式７＞
ｔｅｒｍ（Ｎ２）＝Ｎ２×（ｔｅｒｍ＿ａｃｔ＋ｂｌｋ１）＋ｔｅｒｍ（０）    …＜式８＞
式７及び式８に基づいて式９が導出される。また、式１に基づいて式１０が導出される。
（Ｎ２＋２）×ｂｌｋ２＝ｔｅｒｍ０−ｔｅｒｍ＿ａｃｔ−ｂｌｋ１＋（Ｎ２＋１）×ｂｌｋ１    …＜式９＞
（Ｎ２＋２）×ｂｌｋ２＞（Ｎ２＋２）×ＲＥＦ＿ｍａｘ    …＜式１０＞
式９及び式１０に基づいて式１１が導出される。
ｔｅｒｍ（０）＋Ｎ２×ｂｌｋ１−ｔｅｒｍ＿ａｃｔ＞（Ｎ２＋２）×ＲＥＦ＿ｍａｘ    …＜式１１＞
【００６６】
即ち、式１１によれば、期間ｔｅｒｍ（０）と、転送画像出力の表示期間ｔｅｒｍ＿ａｃｔと、転送画像出力の非表示期間ｂｌｋ１と、最大のリフレッシュレートの周期ＲＥＦ＿ｍａｘとに基づいて、最小の切替フレーム数Ｎ２が求められる。また、式１０によれば、式１１によって求められた切替フレーム数Ｎ２と、最大のリフレッシュレートの周期ＲＥＦ＿ｍａｘとに基づいて、自走画像出力の非表示期間ｂｌｋ２´´が求められる。
【００６７】
上述したように、本実施形態に係る画像表示装置２０において、コントローラ２２０は、期間ｔｅｒｍ（０）と、転送画像出力の表示期間ｔｅｒｍ＿ａｃｔと、転送画像出力の非表示期間ｂｌｋ１と、最小のリフレッシュレートの周期ＲＥＦ＿ｍｉｎと、最大のリフレッシュレートの周期ＲＥＦ＿ｍａｘとに基づいて、切替フレーム数Ｎ１及びＮ２を算出する。コントローラ２２０は、算出した切替フレーム数Ｎ１及びＮ２の値を比較し、いずれの値が小さいかを判断する。コントローラ２２０は、該判断に基づいて、自走画像出力の非表示期間ｂｌｋ２の２つの算出方法のうち一方を選択し、該選択した算出方法に基づいて、非表示期間ｂｌｋ０の長さが最適となるように該期間の長さを調整する。そして、コントローラ２２０は、時刻ｔ２において選択信号ＳＥＬの状態を“１”から“０”に遷移させることによって、画像出力を自走画像出力から転送画像出力に切り替える。
【００６８】
図７は、本発明の一実施形態に係る画像表示装置における画像出力の切り替えの動作を概略的に説明するためのフローチャートである。まず、コントローラ２２０は、転送回路２１０から出力される自走表示信号ＳＥＬＦ＿ＤＩＳＰの状態を監視することによって、画像出力の自走画像出力から転送画像出力への切り替えの制御指示を検知する（Ｓ７０１）。次に、コントローラ２２０は、切替フレーム数Ｎ１を計算する（Ｓ７０２）。ステップＳ７０２の処理の詳細については、図８を参照して説明される。次に、コントローラ２２０は、切替フレーム数Ｎ２を計算する（Ｓ７０３）。ステップＳ７０３の処理の詳細については、図９を参照して説明される。
【００６９】
コントローラ２２０は、計算した切替フレーム数Ｎ１及びＮ２の値を比較する（Ｓ７０４）。コントローラ２２０は、“Ｎ１”の値が“Ｎ２”の値よりも大きいと判断する場合（Ｓ７０４のＹｅｓ）、コントローラ２２０は、ステップＳ７０３の処理において取得した最大リフレッシュレートＲＥＦ＿ｍａｘの値（図９参照）と、ステップＳ７０３の処理において計算した切替フレーム数Ｎ２と、最大リフレッシュレートの周期ＲＥＦ＿ｍａｘと、上述した式１０とに基づいて、自走画像出力の非表示期間ｂｌｋ２´を計算する（Ｓ７０５）。コントローラ２２０は、画像出力の切替フレーム数Ｎの値を切替フレーム数Ｎ２の値に設定する（Ｓ７０６）。続いて、コントローラ２２０は、ステップＳ７０６の処理において設定した自走画像出力の非表示期間ｂｌｋ２´に基づいて、自走画像制御信号ＤＥ＿ＭＥＭを更新し、該信号を選択回路２５０に出力する（Ｓ７０９）。ここで、非表示期間ｂｌｋ０は、ステップＳ７０５の処理で計算された非表示期間ｂｌｋ２´の長さに決定される。そして、コントローラ２２０は、該自走画像制御信号ＤＥ＿ＭＥＭの更新から切替フレーム数Ｎが経過した後（即ち、切替フレーム数Ｎの回数分だけフレームが更新された後）に、選択信号ＳＥＬの状態を“１”から“０”に変更することによって、画像出力を自走画像出力から転送回路画像出力に切り替える（Ｓ７１０）。
【００７０】
一方、コントローラ２２０は、“Ｎ１”の値が“Ｎ２”の値よりも大きくないと判断する場合（Ｓ７０４のＮｏ）、コントローラ２２０は、ステップＳ７０２の処理において取得した最小リフレッシュレートＲＥＦ＿ｍｉｎの値（図８参照）と、ステップＳ７０２の処理において計算した切替フレーム数Ｎ１と、最小のリフレッシュレートの周期ＲＥＦ＿ｍｉｎと、上述した式５とに基づいて、自走画像出力の非表示期間ｂｌｋ２´´を計算する（Ｓ７０７）。続いて、コントローラ２２０は、画像出力の切替フレーム数Ｎの値を切替フレーム数Ｎ１の値に設定する（Ｓ７０８）。続いて、コントローラ２２０は、同様に、自走画像出力の非表示期間ｂｌｋ２´´に基づいて、自走画像制御信号ＤＥ＿ＭＥＭを更新し、該信号を選択回路２５０に出力する（Ｓ７０９）。ここで、非表示期間ｂｌｋ０は、ステップＳ７０７の処理で計算された非表示期間ｂｌｋ２´´の長さに決定される。そしてコントローラ２２０は、該自走画像制御信号ＤＥ＿ＭＥＭの更新から切替フレーム数Ｎが経過した後に、選択信号ＳＥＬの状態を“１”から“０”に変更することによって、画像出力を自走画像出力から転送回路画像出力に切り替える（Ｓ７１０）。これにより、本実施形態に係る画像表示装置２０は、非表示期間ｂｌｋ０の長さが最適となるように、画像出力を自走表示出力から転送画像出力に切り替えることができる。従って、本実施形態に係る画像表示装置２０は、画像にフリッカーを発生させることなく、静止画及び動画の画像出力を切り替えて、画像表示を行うことができる。
【００７１】
図８は、本発明の一実施形態に係る画像表示装置における画像出力の切り替えの動作を概略的に説明するためのフローチャートであり、図７におけるステップＳ７０２の処理の詳細を示している。まず、コントローラ２２０は、自走画像制御信号ＤＥ＿ＭＥＭと、転送画像制御信号ＤＥ＿ＴＲＡＮとの間の位相差を検出する。より具体的には、コントローラ２２０は、期間ｔｅｒｍ（０）（図４参照）を検出する（Ｓ８０１）。
【００７２】
コントローラ２２０は、演算回路２４０から出力される制御信号ＲＣＮＴに基づいて、最小リフレッシュレートの周期ＲＥＦ＿ｍｉｎの値を取得するとともに（Ｓ８０２）、転送回路２１０から出力される転送画像制御信号ＤＥ＿ＴＲＡＮに基づいて、転送画像出力の非表示期間ｂｌｋ１の長さを取得する（Ｓ８０３）。
【００７３】
コントローラ２２０は、検出した期間ｔｅｒｍ０と、取得した最小リフレッシュレートの周期ＲＥＦ＿ｍｉｎ及び転送画像出力の非表示期間ｂｌｋ１の長さと、上述した式６とに基づいて、画像出力の切り替えに必要な切替フレーム数Ｎ１を計算し（Ｓ８０４）、処理を終了して、元のフローに戻る。なお、画像出力の切り替えに必要な最小の切替フレーム数Ｎ１は、例えば、コントローラ２２０によって、切替フレーム数Ｎ１を初期値１から順次に式６に代入し、式６を満たす切替フレーム数Ｎ１のうち最小となる切替フレーム数Ｎ１を検出することによって決定されても良い。
【００７４】
図９は、本発明の一実施形態に係る画像表示装置における画像出力の切り替えの動作を概略的に説明するためのフローチャートであり、図７におけるステップＳ７０３の処理の詳細を示している。まず、コントローラ２２０は、自走画像制御信号ＤＥ＿ＭＥＭと、転送画像制御信号ＤＥ＿ＴＲＡＮとの間の位相差を検出する。より具体的には、コントローラ２２０は、期間ｔｅｒｍ０（図４参照）を検出する（Ｓ９０１）。
【００７５】
コントローラ２２０は、演算回路２４０から出力される制御信号ＲＣＮＴに基づいて、最大リフレッシュレートの周期ＲＥＦ＿ｍａｘの値を取得するとともに（Ｓ９０２）、転送回路２１０から出力される転送画制御信号ＤＥ＿ＴＲＡＮに基づいて、転送画像出力の表示期間ｔｅｒｍ＿ａｃｔの長さを取得し（Ｓ９０３）、転送画像出力の非表示期間ｂｌｋ１の長さを取得する（Ｓ９０４）。
【００７６】
コントローラ２２０は、検出した期間ｔｅｒｍ０と、取得した最大リフレッシュレートの周期ＲＥＦ＿ｍａｘ、転送画像出力の表示期間ｔｅｒｍ＿ａｃｔの長さ及び転送画像出力の非表示期間ｂｌｋ１の長さと、上述した式１１とに基づいて、画像出力の切り替えに必要な切替フレーム数Ｎ２を計算し（Ｓ９０５）、処理を終了して、元のフローに戻る。なお、画像出力の切り替えに必要な最小の切替フレーム数Ｎ２は、例えば、コントローラ２２０によって、切替フレーム数Ｎ１を初期値１から順次に式１１に代入し、式１１を満たす切替フレーム数Ｎ２のうち最小となる切替フレーム数Ｎ２を検出することによって決定されても良い。
【００７７】
上述したように、本実施形態に係る画像表示装置２０は、画像出力を自走画像出力から転送画像出力の切り替える際、転送回路２１０から出力される転送画像制御信号ＤＥ＿ＴＲＡＮと、コントローラ２２０から出力される自走画像制御信号ＤＥ＿ＭＥＭとの位相差を検出するとともに、演算回路２４０から最大リフレッシュレートの周期及び最小リフレッシュレートの周期を転送回路２１０から転送画像出力の非表示期間ｂｌｋ１の値をそれぞれ取得する。
【００７８】
そして、本実施形態に係る画像表示装置２０は、該検出した位相差と、該取得した値とに基づいて、自走画像制御信号ＤＥ＿ＭＥＭの立ち上がりタイミングと、転送画像制御信号ＤＥ＿ＴＲＡＮの立ち上がりタイミングとが一致する時刻ｔ２が最も早くなるように、自走画像出力の非表示期間ｂｌｋ２の長さと、非表示期間ｂｌｋ０の長さとを調整する。斯かる調整によって、本実施形態に係る画像表示装置２０は、画像にフリッカーを発生させることなく、複数の画像出力を切り替えつつ、画像表示を行うことができる。
【００７９】
上記各実施形態は、本発明を説明するための例示であり、本発明をこれらの実施形態にのみ限定する趣旨ではない。本発明は、その要旨を逸脱しない限り、さまざまな形態で実施することができる。
【００８０】
例えば、本明細書に開示される方法においては、その結果に矛盾が生じない限り、ステップ、動作又は機能を並行して又は異なる順に実施しても良い。説明されたステップ、動作及び機能は、単なる例として提供されており、ステップ、動作及び機能のうちのいくつかは、発明の要旨を逸脱しない範囲で、省略でき、また、互いに結合させることで一つのものとしてもよく、また、他のステップ、動作又は機能を追加してもよい。
【００８１】
また、本明細書では、さまざまな実施形態が開示されているが、一の実施形態における特定のフィーチャ（技術的事項）を適宜改良しながら、他の実施形態に追加し、又は該他の実施形態における特定のフィーチャと置換することができ、そのような形態も本発明の要旨に含まれる。
【産業上の利用可能性】
【００８２】
本発明は、画像表示装置や画像通信インタフェースを備える機器の分野に広く利用することができる。
【符号の説明】
【００８３】
１…画像表示システム
１０…送信部
２０…画像表示装置
２１０…転送回路
２２０…コントローラ
２３０…記憶装置
２４０…演算回路
２５０，２６０…選択回路
２７０…表示部
【図１】
2015191097.tif 000003
【図２】
2015191097.tif 000004
【図３】
2015191097.tif 000005
【図４】
2015191097.tif 000006
【図５】
2015191097.tif 000007
【図６】
2015191097.tif 000008
【図７】
2015191097.tif 000009
【図８】
2015191097.tif 000010
【図９】
2015191097.tif 000011